(57)【要約】【課題】  放電灯の状態を定量的に報知することのできる照明器具を提供する。【解決手段】  放電灯Ｌａを点灯させる点灯回路を有する点灯ブロックＢ１と、放電灯Ｌａの状態に応じた音声メッセージを出力する報知ブロックＢ２とを備える。放電灯Ｌａの状態を音声メッセージで報知することにより、放電灯Ｌａの状態を定量的に報知することができる。【選択図】図１
2005203275.tif 000002
【特許請求の範囲】
【請求項１】
放電灯を保持する器具本体と、放電灯を点灯させる点灯回路と、放電灯の状態を検出する状態検出部と、音声データが格納された音声データ格納部と、音声データ格納部に格納された音声データを用いて、検出部の出力に応じた音声メッセージを出力する音声出力部とを備えることを特徴とする照明器具。
【請求項２】
点灯回路の出力を設定することにより放電灯を全点灯又は調光点灯させるための出力設定部を備え、点灯回路は出力設定部に設定された出力で放電灯を点灯させ、音声出力部は出力設定部の設定が変更されたときに出力設定部に設定された出力に応じた音声メッセージを出力することを特徴とする請求項１記載の照明器具。
【請求項３】
状態検出部は、放電灯で消費される電力に関わる電気量を検出する電気量検出部と、直前に放電灯が交換されてからの放電灯が点灯された時間の総量を記憶する点灯時間記憶部と、電気量検出部で検出される電気量の点灯時間に対する標準的な推移を示す寿命データテーブルが格納された寿命データテーブル格納部と、電気量検出部の出力と点灯時間記憶部の出力とを寿命データテーブル格納部に格納された寿命データテーブルと照合して放電灯の残り寿命を推定する寿命推定部とを備え、音声出力部は、状態検出部の寿命推定部によって推定された残り寿命に応じた音声メッセージを出力することを特徴とする請求項１記載の照明器具。
【請求項４】
点灯回路は、直流入力を交流出力に変換するインバータ部と、インバータ部の出力側に設けられて放電灯に供給する交流出力から直流成分を除去する回路素子を有し、状態検出部は、前記回路素子の両端電圧に基づいて放電灯の状態を検出することを特徴とする請求項３記載の照明器具。
【請求項５】
状態検出部は、点灯回路を構成する回路部品の残り寿命を検出し、音声出力部は、検出された回路部品の残り寿命に応じた音声メッセージを出力することを特徴とする請求項１記載の照明器具。
【請求項６】
音声出力部が出力する音声は、状態検出部が検出した状態での放電灯が消費する電力に対する電気料金の情報を含むことを特徴とする請求項１記載の照明器具。
【請求項７】
点灯回路の出力を複数の値のうちのいずれかに設定することにより放電灯を全点灯又は調光点灯させるための出力設定部を備え、点灯回路は出力設定部に設定された出力で放電灯を点灯させ、出力設定部で設定可能な出力の値それぞれに対してそれぞれ放電灯の状態を示す複数のデータを関連付けて格納したデータテーブル格納手段を備えることを特徴とする請求項１記載の照明器具。
【請求項８】
点灯回路と状態検出部と音声データ格納部と音声出力部とを有し器具本体に保持された点灯制御ユニットと、点灯制御ユニットに対してワイヤレス信号を送信するリモコン装置とを備え、リモコン装置は、放電灯の動作を設定するための動作設定部と、動作設定部に設定された動作に応じたワイヤレス信号を送信する送信部とを有し、点灯制御ユニットは、リモコン装置から送信されたワイヤレス信号を受信する受信部と、受信部に受信されたワイヤレス信号に応じて点灯回路を制御する点灯制御部とを有し、音声出力部は、音声を出力する出力部と、出力部を制御する音声制御部とを有し、受信部は、ワイヤレス信号を電気信号に変換するセンサ部と、センサ部の出力を音声制御部や制御部に入力される信号に変換する信号処理部とを備え、信号処理部を構成する回路と、音声制御部を構成する回路と、音声データ格納部を構成する回路とを１チップ化したことを特徴とする請求項１記載の照明器具。
【請求項９】
点灯回路と状態検出部と音声データ格納部と音声出力部とを有し器具本体に保持された点灯制御ユニットと、点灯制御ユニットに対してワイヤレス信号を送信するリモコン装置とを備え、リモコン装置は、リモコン装置の周囲の照度を検出する周囲照度検出部と、周囲照度検出部をオンオフする検出制御部と、周囲照度検出部がオンされているときに周囲照度検出部の出力に応じたワイヤレス信号を送信する送信部とを有し、点灯制御ユニットは、リモコン装置から送信されたワイヤレス信号を受信する受信部を有し、音声出力部は、受信部が受信したワイヤレス信号に応じた音声メッセージを出力することを特徴とする請求項１記載の照明器具。
【請求項１０】
点灯回路と状態検出部と音声データ格納部と音声出力部とを有し器具本体に保持された点灯制御ユニットと、点灯制御ユニットに対してワイヤレス信号を送信するリモコン装置とを備え、点灯制御ユニットは、リモコン装置から送信されたワイヤレス信号を受信する受信部と、受信部に受信されたワイヤレス信号に応じて点灯回路を制御する点灯制御部とを有し、リモコン装置は、放電灯の動作を設定するための動作設定部と、動作設定部に設定された動作に応じたワイヤレス信号を送信する送信部と、リモコン装置の周囲の照度を検出する周囲照度検出部と、周囲照度検出部をオンオフする検出制御部と、周囲照度検出部がオンされているときに周囲照度検出部の出力を報知する照度報知部とを有することを特徴とする請求項１記載の照明器具。
【請求項１１】
点灯回路と状態検出部と音声データ格納部と音声出力部とを有し器具本体に保持された点灯制御ユニットと、点灯制御ユニットに対してワイヤレス信号を送信するリモコン装置とを備え、点灯制御ユニットは、リモコン装置から送信されたワイヤレス信号を受信する受信部と、受信部に受信されたワイヤレス信号に応じて点灯回路を制御する点灯制御部とを有し、リモコン装置は、放電灯の動作を設定する動作設定部と、動作設定部に設定された動作に応じたワイヤレス信号を送信する送信部と、人体の存在を検知する人感センサと、人感センサをオンオフする検出制御部とを有し、送信部は、人感センサがオンされているときに人感センサによって人体が検知されたときに所定のワイヤレス信号を送信し、点灯制御ユニットの音声出力部は、前記所定のワイヤレス信号が受信部に受信されたときに威嚇用音声メッセージを出力することを特徴とする請求項１記載の照明器具。
【請求項１２】
点灯回路と状態検出部と音声データ格納部と音声出力部とを有し器具本体に保持された点灯制御ユニットと、点灯制御ユニットに対してワイヤレス信号を送信するリモコン装置とを備え、点灯制御ユニットは、リモコン装置から送信されたワイヤレス信号を受信する受信部と、受信部に受信されたワイヤレス信号に応じて点灯回路を制御する点灯制御部とを有し、リモコン装置は、放電灯の動作を設定する動作設定部と、動作設定部に設定された動作に応じたワイヤレス信号を送信する送信部と、人体の存在を検知する人感センサと、人感センサをオンオフ制御する検出制御部と、人感センサがオンされているときに人感センサによって人体が検知されたときに威嚇用音声メッセージを出力する威嚇用音声出力部とを有することを特徴とする請求項１記載の照明器具。
【請求項１３】
音声出力部は、人感センサがオンされているときに人感センサによって人体が検知されてから所定時間以内に再度人体が検知されたときには、前回人体が検知されたときとは別の威嚇用音声メッセージを出力することを特徴とする請求項１１又は請求項１２記載の照明器具。
【請求項１４】
音声出力部は、人感センサがオンされているときに人感センサによって人体が検知されてから所定時間以内に再度人体が検知されたときには、前回人体が検知されたときよりも大きい音量で威嚇用音声メッセージを出力することを特徴とする請求項１１又は請求項１２記載の照明器具。
【請求項１５】
音声出力部は、人感センサがオンされているときに人感センサによって人体が検知されてから所定時間以内に再度人体が検知されたときには、前回人体が検知されたときとは異なる音質の威嚇用音声メッセージを出力することを特徴とする請求項１１又は請求項１２記載の照明器具。
【請求項１６】
リモコン装置の送信部は、人感センサがオンされているときに人感センサによって人体が検知されたときには所定のワイヤレス信号を送信し、点灯制御ユニットは、受信部に前記所定のワイヤレス信号が受信されたときに点灯回路を制御して放電灯を点灯又は点滅させる威嚇点灯制御部を有することを特徴とする請求項１１乃至請求項１５のいずれか記載の照明器具。
【請求項１７】
煙の濃度に応じた出力を生成する煙濃度検出部と、煙濃度検出部の出力と所定の閾値とを比較する比較部とを備え、音声出力部は、煙濃度検出部で検出された煙濃度が前記所定の閾値に対応する煙濃度よりも大きいときに警報用音声メッセージを出力することを特徴とする請求項１記載の照明器具。
【請求項１８】
警報用音声メッセージが出力されてから所定時間後にも煙濃度検出部で検出された煙濃度が前記所定の閾値に対応する煙濃度よりも大きいときには、音声出力部は、直前に出力した警報用音声メッセージとは別の警報用音声メッセージを出力することを特徴とする請求項１７記載の照明器具。
【請求項１９】
警報用音声メッセージが出力されてから所定時間後にも煙濃度検出部で検出された煙濃度が前記所定の閾値に対応する煙濃度よりも大きいときには、音声出力部は、前回よりも大きい音量で警報用音声メッセージを出力することを特徴とする請求項１７記載の照明器具。
【請求項２０】
警報用音声メッセージが出力されてから所定時間後にも煙濃度検出部で検出された煙濃度が前記所定の閾値に対応する煙濃度よりも大きいときには、音声出力部は、前回とは異なる音質の警報用音声メッセージを出力することを特徴とする請求項１７記載の照明器具。
【請求項２１】
警報用音声メッセージが出力されてから所定時間後にも煙濃度検出部で検出された煙濃度が前記所定の閾値に対応する煙濃度よりも大きいときには、次に比較部の出力に基づいて警報用音声メッセージが出力されるまでの時間を前記所定時間よりも短くすることを特徴とする請求項１７記載の照明器具。
【請求項２２】
煙濃度検出部で検出された煙濃度が前記所定の閾値に対応する煙濃度よりも大きいときに点灯回路を制御して放電灯を点灯又は点滅させる警報点灯制御部を備えることを特徴とする請求項１７乃至請求項２１のいずれか記載の照明器具。
【発明の詳細な説明】
【技術分野】
【０００１】
本発明は、放電灯の状態を報知する機能を備えた照明器具に関するものである。
【背景技術】
【０００２】
従来から、放電灯の状態を検出して放電灯の状態に応じた動作をする機能を備えた照明器具が提供されている（例えば、特許文献１及び特許文献２参照）。
【０００３】
この種の照明装置として、例えば図１７に示す回路構成を有するものがある。この照明器具は、直流電源Ｅの両端間に互いに直列に接続された２個のスイッチング素子Ｑ１，Ｑ２と、スイッチング素子Ｑ１，Ｑ２の接続点と放電灯Ｌａの一方のフィラメントの一端との間に直列に接続されたコンデンサＣ５とインダクタＬとの直列回路と、放電灯Ｌａのフィラメント間に接続されたコンデンサＣ６とを備えた所謂ハーフブリッジ型のインバータ回路によって、放電灯Ｌａに交流電力を供給するものである。また、放電灯Ｌａの各フィラメントには、それぞれフィラメントの電圧Ｖｆを検出して閾値Ｖｔｈと比較し、フィラメントの電圧Ｖｆが閾値Ｖｔｈよりも高いときにＨレベル、低いときにＬレベルの出力をそれぞれ生成するＶｆレベル検出部ＤＦ１，ＤＦ２が接続されている。各Ｖｆレベル検出回路ＤＦ１，ＤＦ２の出力は、スイッチング素子Ｑ１，Ｑ２を制御する制御部（図示せず）にＯＲ入力されている。ここで、フィラメントの電圧Ｖｆは、フィラメントが正常なときには図１８の左側の分布となり、フィラメントが所謂エミレス状態となったときには図１８の右側の分布となる。閾値Ｖｔｈは左右の分布の中間にとられている。つまり、フィラメントがエミレス状態となったときに、該フィラメントの電圧Ｖｆが閾値Ｖｔｈよりも大きくなり、対応するＶｆレベル検出部ＤＦ１，ＤＦ２の出力がＨレベルとなるのである。制御部は、Ｖｆレベル検出部ＤＦ１，ＤＦ２の一方の出力がＨレベルとなったときに、放電灯Ｌａに供給する電力を低減もしくは停止させる。これにより、放電灯Ｌａの温度上昇や回路部品へのストレスが回避され、安全性が向上するものである。
【特許文献１】特開２００２−８３６９７号公報
【特許文献２】特開平１０−３０２９７６号公報
【発明の開示】
【発明が解決しようとする課題】
【０００４】
しかし、上記従来の照明器具では、放電灯Ｌａの残り寿命を使用者が知ることができなかったため、使用者は実際に放電灯Ｌａが消えてから新しい放電灯Ｌａを用意することになり、利便性が低かった。
【０００５】
また、放電灯Ｌａの残り寿命が少ないことをブザーの鳴動や発光ダイオードの点灯によって報知する構成とした照明器具も提案されているが、ブザーや発光ダイオードでは、鳴動と停止、点灯と消灯といった限られた動作しかできないため、放電灯Ｌａの残り寿命がどの程度であるのかといった定量的な情報を使用者に伝えることができなかった。
【０００６】
本発明は上記事由に鑑みて為されたものであり、その目的は、放電灯の状態を定量的に報知することができる照明器具を提供することにある。
【課題を解決するための手段】
【０００７】
請求項１の発明は、放電灯を保持する器具本体と、放電灯を点灯させる点灯回路と、放電灯の状態を検出する状態検出部と、音声データが格納されたデータ格納部と、データ格納部に格納された音声データを用いて、検出部の出力に応じた音声メッセージを出力する音声出力部とを備えることを特徴とする。
【０００８】
この発明によれば、音声メッセージを用いることにより、放電灯の状態を定量的に報知することや、複数の情報を分かりやすく報知することが可能となるから、利便性が向上する。
【０００９】
請求項２の発明は、請求項１の発明において、点灯回路の出力を設定することにより放電灯を全点灯又は調光点灯させるための出力設定部を備え、点灯回路は出力設定部に設定された出力で放電灯を点灯させ、音声出力部は出力設定部の設定が変更されたときに出力設定部に設定された出力に応じた音声メッセージを出力することを特徴とする。
【００１０】
この発明によれば、手元が見え難い場合であっても、設定がどのように変更されたかを音声メッセージによって知ることができるから、全点灯又は調光点灯の設定の変更が容易になる。
【００１１】
請求項３の発明は、請求項１の発明において、状態検出部は、放電灯で消費される電力に関わる電気量を検出する電気量検出部と、直前に放電灯が交換されてからの放電灯が点灯された時間の総量を記憶する点灯時間記憶部と、電気量検出部で検出される電気量の点灯時間に対する標準的な推移を示す寿命データテーブルが格納された寿命データテーブル格納部と、電気量検出部の出力と点灯時間記憶部の出力とを寿命データテーブル格納部に格納された寿命データテーブルと照合して放電灯の残り寿命を推定する寿命推定部とを備え、音声出力部は、状態検出部の寿命推定部によって推定された寿命に応じた音声メッセージを出力することを特徴とする。
【００１２】
この発明によれば、放電灯の残り寿命を定量的に報知することができる。
【００１３】
請求項４の発明は、請求項３の発明において、点灯回路は、直流入力を交流出力に変換するインバータ部と、インバータ部の出力側に設けられて放電灯に供給する交流出力から直流成分を除去する回路素子を有し、状態検出部は、前記回路素子の両端電圧に基づいて放電灯の状態を検出することを特徴とする。
【００１４】
この発明によれば、交流出力から直流成分を除去する回路素子の両端電圧は概して安定しているから、より精度の高い検出が可能となる。
【００１５】
請求項５の発明は、請求項１の発明において、状態検出部は、点灯回路を構成する回路部品の残り寿命を検出し、音声出力部は、検出された回路部品の残り寿命に応じた音声メッセージを出力することを特徴とする。
【００１６】
この発明によれば、点灯回路を構成する回路部品の残り寿命を使用者に報知することができる。
【００１７】
請求項６の発明は、請求項１の発明において、音声出力部が出力する音声は、状態検出部が検出した状態での放電灯が消費する電力に対する電気料金の情報を含むことを特徴とする。
【００１８】
この発明によれば、使用者にとって消費電力に比してより現実的に重要な情報である電気料金の報知が可能となる。
【００１９】
請求項７の発明は、請求項１の発明において、点灯回路の出力を複数の値のうちのいずれかに設定することにより放電灯を全点灯又は調光点灯させるための出力設定部を備え、点灯回路は出力設定部に設定された出力で放電灯を点灯させ、出力設定部で設定可能な出力の値それぞれに対してそれぞれ放電灯の状態を示す複数のデータを関連付けて格納したデータテーブル格納手段を備えることを特徴とする。
【００２０】
この発明によれば、データテーブル格納手段に、放電灯の状態を示す複数のデータを、出力設定部で設定可能な出力の値にそれぞれ関連付けて格納したことにより、出力設定部に設定された出力に応じたデータをより速く検索することができる。また、データや点灯回路の出力に応じて別々のデータテーブル格納手段を設ける場合に比べ、部品点数が減少して製造コストが低減される。
【００２１】
請求項８の発明は、請求項１の発明において、点灯回路と状態検出部と音声データ格納部と音声出力部とを有し器具本体に保持された点灯制御ユニットと、点灯制御ユニットに対してワイヤレス信号を送信するリモコン装置とを備え、リモコン装置は、放電灯の動作を設定するための動作設定部と、動作設定部に設定された動作に応じたワイヤレス信号を送信する送信部とを有し、点灯制御ユニットは、リモコン装置から送信されたワイヤレス信号を受信する受信部と、受信部に受信されたワイヤレス信号に応じて点灯回路を制御する点灯制御部とを有し、音声出力部は、音声を出力する出力部と、出力部を制御する音声制御部とを有し、受信部は、ワイヤレス信号を電気信号に変換するセンサ部と、センサ部の出力を音声制御部や制御部に入力される信号に変換する信号処理部とを備え、受信部の信号処理部を構成する回路と、音声出力部の音声制御部を構成する回路及び音声データ格納部を構成する回路とを１チップ化したことを特徴とする。
【００２２】
この発明によれば、信号処理部を構成する回路と、音声制御部を構成する回路と、音声データ格納部を構成する回路とそれぞれ別のチップに構成する場合に比べ、部品点数が減少し、製造コストを低減することができる。
【００２３】
請求項９の発明は、請求項１の発明において、点灯回路と状態検出部と音声データ格納部と音声出力部とを有し器具本体に保持された点灯制御ユニットと、点灯制御ユニットに対してワイヤレス信号を送信するリモコン装置とを備え、リモコン装置は、リモコン装置の周囲の照度を検出する周囲照度検出部と、周囲照度検出部をオンオフする検出制御部と、周囲照度検出部がオンされているときに周囲照度検出部の出力に応じたワイヤレス信号を送信する送信部とを有し、点灯制御ユニットは、リモコン装置から送信されたワイヤレス信号を受信する受信部を有し、音声出力部は、受信部が受信したワイヤレス信号に応じた音声を出力することを特徴とする。
【００２４】
この発明によれば、リモコン装置の位置を選ぶことで、ワイヤレス信号が届く範囲のあらゆる位置の照度を報知することができる。
【００２５】
請求項１０の発明は、請求項１の発明において、点灯回路と状態検出部と音声データ格納部と音声出力部とを有し器具本体に保持された点灯制御ユニットと、点灯制御ユニットに対してワイヤレス信号を送信するリモコン装置とを備え、点灯制御ユニットは、リモコン装置から送信されたワイヤレス信号を受信する受信部と、受信部に受信されたワイヤレス信号に応じて点灯回路を制御する点灯制御部とを有し、リモコン装置は、放電灯の動作を設定するための動作設定部と、動作設定部に設定された動作に応じたワイヤレス信号を送信する送信部と、リモコン装置の周囲の照度を検出する周囲照度検出部と、周囲照度検出部をオンオフする検出制御部と、周囲照度検出部がオンされているときに周囲照度検出部の出力を報知する照度報知部とを有することを特徴とする。
【００２６】
この発明によれば、リモコン装置の位置を選ぶことで、あらゆる位置の照度を報知することができる。また、リモコン装置の周囲の照度を、請求項９の発明よりも使用者に近いところで報知することができる。
【００２７】
請求項１１の発明は、請求項１の発明において、点灯回路と状態検出部と音声データ格納部と音声出力部とを有し器具本体に保持された点灯制御ユニットと、点灯制御ユニットに対してワイヤレス信号を送信するリモコン装置とを備え、点灯制御ユニットは、リモコン装置から送信されたワイヤレス信号を受信する受信部と、受信部に受信されたワイヤレス信号に応じて点灯回路を制御する点灯制御部とを有し、リモコン装置は、放電灯の動作を設定する動作設定部と、動作設定部に設定された動作に応じたワイヤレス信号を送信する送信部と、人体の存在を検知する人感センサと、人感センサをオンオフする検出制御部とを有し、送信部は、人感センサがオンされているときに人感センサによって人体が検知されたときに所定のワイヤレス信号を送信し、点灯制御ユニットの音声出力部は、前記所定のワイヤレス信号が受信部に受信されたときに威嚇用音声メッセージを出力することを特徴とする。
【００２８】
この発明によれば、リモコン装置が設置された場所への侵入者を威嚇用音声メッセージによって威嚇することができる。また、防犯装置と照明器具とを別途に設ける場合に比べ、施工にかかる手間が軽減されるとともに、必要な施工面の面積が小さくなる。さらに、音声メッセージを用いることにより、ブザーを用いる場合よりも高い威嚇効果が期待できる。また、リモコン装置の設置場所を選ぶことで検知範囲を自由に設定することができる。
【００２９】
請求項１２の発明は、請求項１の発明において、点灯回路と状態検出部と音声データ格納部と音声出力部とを有し器具本体に保持された点灯制御ユニットと、点灯制御ユニットに対してワイヤレス信号を送信するリモコン装置とを備え、点灯制御ユニットは、リモコン装置から送信されたワイヤレス信号を受信する受信部と、受信部に受信されたワイヤレス信号に応じて点灯回路を制御する点灯制御部とを有し、リモコン装置は、放電灯の動作を設定する動作設定部と、動作設定部に設定された動作に応じたワイヤレス信号を送信する送信部と、人体の存在を検知する人感センサと、人感センサをオンオフ制御する検出制御部と、人感センサがオンされているときに人感センサによって人体が検知されたときに威嚇用音声メッセージを出力する音声出力部とを有することを特徴とする。
【００３０】
この発明によれば、リモコン装置が設置された場所への侵入者を威嚇用音声メッセージによって威嚇することができる。また、防犯装置と照明器具とを別途に設ける場合に比べ、施工にかかる手間が軽減されるとともに、必要な施工面の面積が小さくなる。さらに、音声メッセージを用いることにより、ブザーを用いる場合よりも高い威嚇効果が期待できる。また、リモコン装置の設置場所を選ぶことで検知範囲を自由に設定することができる。さらに、請求項１１の発明に比べ、侵入者により近いところから威嚇用音声メッセージが発せられることになるから、威嚇の効果が向上する。
【００３１】
請求項１３の発明は、請求項１１又は請求項１２の発明において、音声出力部は、人感センサがオンされているときに人感センサによって人体が検知されてから所定時間以内に再度人体が検知されたときには、前回人体が検知されたときとは別の威嚇用音声メッセージを出力することを特徴とする。
【００３２】
この発明によれば、威嚇の効果をさらに向上することができる。
【００３３】
請求項１４の発明は、請求項１１又は請求項１２の発明において、音声出力部は、人感センサがオンされているときに人感センサによって人体が検知されてから所定時間以内に再度人体が検知されたときには、前回人体が検知されたときよりも大きい音量で威嚇用音声メッセージを出力することを特徴とする。
【００３４】
この発明によれば、威嚇の効果がさらに向上する。
【００３５】
請求項１５の発明は、請求項１１又は請求項１２の発明において、音声出力部は、人感センサがオンされているときに人感センサによって人体が検知されてから所定時間以内に再度人体が検知されたときには、前回人体が検知されたときとは異なる音質の威嚇用音声メッセージを出力することを特徴とする。
【００３６】
この発明によれば、威嚇の効果をさらに向上することができる。
【００３７】
請求項１６の発明は、請求項１１乃至請求項１５のいずれか記載の発明において、リモコン装置の送信部は、人感センサがオンされているときに人感センサによって人体が検知されたときには所定のワイヤレス信号を送信し、点灯制御ユニットは、受信部に前記所定のワイヤレス信号が受信されたときに点灯回路を制御して放電灯を点灯又は点滅させる威嚇点灯制御部を有することを特徴とする。
【００３８】
この発明によれば、視覚的効果が加わることにより、威嚇の効果がさらに向上する。
【００３９】
請求項１７の発明は、請求項１記載の発明において、煙の濃度に応じた出力を生成する煙濃度検出部と、煙濃度検出部の出力と所定の閾値とを比較する比較部とを備え、音声出力部は、煙濃度検出部で検出された煙濃度が前記所定の閾値に対応する煙濃度よりも大きいときに警報用音声メッセージを出力することを特徴とする。
【００４０】
この発明によれば、火災の発生を報知することができる。また、火災報知器と照明器具とを別途に設ける場合に比べ、施工にかかる手間が軽減されるとともに、必要な施工面積が小さくなる。さらに、音声メッセージを用いるので、ブザーを用いて火災を報知する場合に比べ、火災の発生が使用者に理解されやすい。
【００４１】
請求項１８の発明は、請求項１７記載の発明において、警報用音声メッセージが出力されてから所定時間後にも煙濃度検出部で検出された煙濃度が前記所定の閾値に対応する煙濃度よりも大きいときには、音声出力部は、直前に出力した警報用音声メッセージとは別の警報用音声メッセージを出力することを特徴とする。
【００４２】
この発明によれば、警報の効果をさらに向上させることができる。
【００４３】
請求項１９の発明は、請求項１７記載の発明において、警報用音声メッセージが出力されてから所定時間後にも煙濃度検出部で検出された煙濃度が前記所定の閾値に対応する煙濃度よりも大きいときには、音声出力部は、前回よりも大きい音量で警報用音声メッセージを出力することを特徴とする。
【００４４】
この発明によれば、警報の効果がさらに向上する。
【００４５】
請求項２０の発明は、請求項１７記載の発明において、警報用音声メッセージが出力されてから所定時間後にも煙濃度検出部で検出された煙濃度が前記所定の閾値に対応する煙濃度よりも大きいときには、音声出力部は、前回とは異なる音質の警報用音声メッセージを出力することを特徴とする。
【００４６】
この発明によれば、警報の効果をさらに向上させることができる。
【００４７】
請求項２１の発明は、請求項１７記載の発明において、警報用音声メッセージが出力されてから所定時間後にも煙濃度検出部で検出された煙濃度が前記所定の閾値に対応する煙濃度よりも大きいときには、次に比較部の出力に基づいて警報用音声メッセージが出力されるまでの時間を前記所定時間よりも短くすることを特徴とする。
【００４８】
この発明によれば、警報の効果がさらに向上する。
【００４９】
請求項２２の発明は、請求項１７乃至請求項２１のいずれか記載の発明において、煙濃度検出部で検出された煙濃度が前記所定の閾値に対応する煙濃度よりも大きいときに点灯回路を制御して放電灯を点灯又は点滅させる警報点灯制御部を備えることを特徴とする。
【００５０】
この発明によれば、視覚的効果が加わることにより、警報の効果がさらに向上する。
【発明の効果】
【００５１】
本発明は、放電灯を点灯させる点灯回路と、放電灯の状態を検出する状態検出部と、音声データが格納されたデータ格納部と、データ格納部に格納された音声データを用いて、検出部の出力に応じた音声メッセージを出力する音声出力部とを備えるので、放電灯の状態を音声メッセージによって定量的に報知することができる。
【発明を実施するための最良の形態】
【００５２】
以下、本発明を実施するための最良の形態について、図面を参照しながら説明する。
【００５３】
（実施形態１）
本実施形態は、図１に示すように、天井面などの施工面に取り付けられ例えば２重環蛍光灯のような放電灯Ｌａを保持する器具本体１１と、放電灯Ｌａを点灯させる点灯回路が実装された回路基板（図示せず）が器体に収納されてなり器具本体１１に保持された点灯ブロックＢ１と、放電灯Ｌａの状態を音声メッセージによって報知する音声出力部５（図３参照）が実装された回路基板（図示せず）が器体に収納されてなり器具本体１１に保持された報知ブロックＢ２と、器具本体１１に取り付けられ放電灯Ｌａを覆うグローブＧとを備える。
【００５４】
また、放電灯Ｌａの残り寿命を検出する状態検出部を備え、音声出力部５は放電灯Ｌａの残り寿命を音声メッセージによって報知する。状態検出部を構成する回路部品は、点灯ブロックＢ１の回路基板と報知ブロックＢ２の回路基板とに分けて実装されている。
【００５５】
詳しく説明すると、音声出力部５は、音声データが格納されたメモリのような音声データ格納部（図示せず）と、出力部としてのスピーカ（図示せず）と、音声データ格納部に格納された音声データを用いてスピーカを駆動し音声メッセージを出力させる音声制御部（図示せず）とを備える。報知ブロックＢ２の器体には、スピーカの音を出すための音穴５１を設けてある。
【００５６】
点灯回路は、図２に示すように、直流電源Ｅの両端間に互いに直列に接続された２個のスイッチング素子Ｑ１，Ｑ２と、ローサイドのスイッチング素子Ｑ２の両端間に接続されたインダクタＬ１とコンデンサＣ１との直列回路を備える所謂ハーフブリッジ型のインバータ回路であって、制御部３１がスイッチング素子Ｑ１，Ｑ２を交互にオンオフすることによって、直流電源Ｅの出力を交流電力に変換して放電灯Ｌａに供給する。コンデンサＣ１の両端間には、放電灯Ｌａに供給される交流出力から直流成分を除去するコンデンサＣ０が、放電灯Ｌａに直列に接続されている。さらに、点灯回路は１本の一次巻線と２本の２次巻線とを有する予熱用のトランスＴＲを備える。トランスＴＲの１次巻線はスイッチング素子Ｑ２の両端間にコンデンサＣ２と直列に接続され、２次巻線はそれぞれ放電灯Ｌａのフィラメントの両端間にコンデンサＣ３，Ｃ４と直列に接続されている。始動時には、トランスＴＲとコンデンサＣ３，Ｃ４とを介して各フィラメントに予熱用の電力が供給される。
【００５７】
状態検出部は、図３に示すように、放電灯Ｌａで消費される電力に関わる電気量を検出する電気量検出部４１と、放電灯Ｌａが交換されてからの総点灯時間を計測及び記憶する点灯時間記憶部４２と、電気量検出部４１で検出される電気量の点灯時間に対する標準的な推移を示す寿命データテーブルが格納されたデータテーブル格納部４３と、電気量検出部４１の出力を定期的に記憶して電気量検出部４１の出力の履歴を作成する履歴蓄積部４４と、定期的に履歴蓄積部４４に蓄積された履歴と寿命データテーブルとを比較して放電灯Ｌａの状態が寿命データテーブルのどの時期に相当するかを判定する比較部４５と、比較部４５の判定に基づいて放電灯Ｌａの残り寿命を算出する寿命算出部４６とを備える。電気量検出部４１として、具体的にはコンデンサＣ０の両端電圧を検出する直流電圧検出部４１ａや、放電灯Ｌａのフィラメント間の電圧を検出するランプ電圧検出部４１ｂを用いることができる。ここで、電気量検出部４１として直流電圧検出部４１ａを用いると、コンデンサＣ０の両端電圧は比較的に安定しているから、放電灯Ｌａの残り寿命を高い精度で推定することができる。または、電気量として、上記のコンデンサＣ０の両端電圧や放電灯Ｌａのフィラメント間の電圧に代えて、放電灯Ｌａのフィラメントの両端電圧を用いてもよい。
【００５８】
音声出力部５の音声制御部は、音声データ格納手段に格納された音声データから、寿命算出部４６の出力に応じた音声データを選び、この音声データに応じてスピーカを制御し、例えば「ランプがもうすぐに寿命をむかえます。取り替え用を準備して下さい」といった音声メッセージを出力させる。また、制御回路３１は、寿命算出部４６で推定された放電灯Ｌａの残り寿命が所定の閾値よりも少なくなると、放電灯Ｌａに供給する電力を低減又は停止させる。
【００５９】
上記構成によれば、放電灯Ｌａの残り寿命を定量的に報知することが可能となるから、使用者は、放電灯Ｌａが寿命を迎える前に新しい放電灯Ｌａを早めに用意することができる。
【００６０】
なお、音声メッセージによって使用者に報知する情報は上記のような放電灯Ｌａの残り寿命に限られない。
【００６１】
例えば、グローブＧの劣化による残り寿命を報知するようにしてもよい。具体的には、グローブＧの光の透過率を検出する透過率検出部（図示せず）を設け、透過率検出部の出力に基づいて、放電灯Ｌａの寿命の算出と同様にしてグローブＧの残り寿命を算出し、これを音声メッセージによって報知する。この場合、透過率の急激な低下を除外するようにすれば、汚れによる透過率の低下がグローブＧの劣化として検出されることを防ぐことができる。この構成によれば、グローブＧの残り寿命を報知することができる。
【００６２】
または、点灯回路の回路部品の残り寿命を音声メッセージによって報知するようにしてもよい。具体的には、例えば点灯回路に電界コンデンサを用いた場合、上記の電気量検出部４１に代えて、電界コンデンサのリプル電圧を検出するリプル検出部（図示せず）を設け、放電灯Ｌａの残り寿命を算出したのと同様にしてリプル検出部の出力に基づいて電界コンデンサの残り寿命を算出し、これを音声メッセージによって報知する。この構成によれば、回路部品の残り寿命を報知することができる。
【００６３】
または、上述した情報のうちの複数の情報をそれぞれ音声メッセージによって報知するようにしてもよい。ランプやブザーを用いて複数の情報を報知する場合、どのランプ又はブザーのどのような出力がどの情報を表しているのかが分かり難くなるが、本実施形態では音声メッセージを用いるから、複数の情報を報知する場合であっても、使用者にとって情報の種類や内容が分かり難くなることがない。
【００６４】
（実施形態２）
本実施形態の基本構成は実施形態１と共通であるので、共通する構成については同じ符号を付して図示及び説明を省略し、異なる構成についてのみ説明する。
【００６５】
本実施形態は、図４に示すように、使用者が放電灯の全点灯や調光点灯といった点灯状態を設定するための出力設定部Ｂ３を備える。点灯回路の制御部３１は、出力設定部Ｂ３に設定された出力に応じてスイッチング素子Ｑ１，Ｑ２をオンオフする周波数を制御することにより、放電灯Ｌａに供給する電力を制御する。また、音声出力部５は、出力設定部Ｂ３の設定が変更されたときに、設定された変更に応じた音声メッセージを出力する。
【００６６】
また、本実施形態のデータテーブル格納部４３には、出力設定部Ｂ３で設定可能な各出力に関連付けて、全点灯時に比べて低減される電気料金の額を示す電気料金データが格納されており、音声出力部５は、出力設定部Ｂ３の設定が調光点灯に変更されたときには、全点灯時に対して低減される電気料金の額も報知する。この構成により、使用者にとって比較的重要な情報である電気料金の情報を報知することができる。同様に、放電灯Ｌａの出力が全点灯に対して何％の出力であるかを示す光出力や、全点灯に対して消費電力が何％低減されているかを示す省エネ度を音声出力部５が報知するようにしてもよい。
【００６７】
さらに、データテーブル格納部４３には、出力設定部Ｂ３で設定可能な各出力に関連付けて、電気量検出部４１で検出される電気量の点灯時間に対する標準的な推移を示す寿命データテーブルが格納されている。
【００６８】
上記構成によれば、出力設定部Ｂ３の設定が変更されたときに、設定された変更に応じた音声メッセージが出力されるので、出力設定部Ｂ３が見え難い場合にも設定がどのように変更されたかを知ることができるから、出力設定部Ｂ３の設定の変更が容易になっている。
【００６９】
また、電気料金データと寿命データテーブルとをそれぞれ出力設定部Ｂ３で設定可能な各出力に関連付けてデータテーブル格納部４３に格納したので、出力設定部Ｂ３に設定された出力に応じた電気料金データと寿命データテーブルとをより速く検索することができる。また、電気料金データと寿命データテーブルとを別々のデータテーブル格納部に格納する場合に比べ、製造コストが低減する。
【００７０】
なお、例えば放電灯Ｌａの総点灯時間が何時間となったときに報知するというように、放電灯Ｌａの残り寿命等を報知する時間を出力設定部Ｂ３に設定可能としてもよい。または、使用者の操作に応じて、出力設定部Ｂ３の設定や放電灯Ｌａの残り寿命などを示す音声メッセージを音声出力部が出力するようにしてもよい。これらの構成によれば、例えば騒音が少ないときなど、使用者にとって音声メッセージが聞き取り易いときに音声メッセージを出力させることができる。
【００７１】
（実施形態３）
本実施形態の基本構成は実施形態１と共通であるので、共通する構成については同じ符号を付して図示及び説明を省略し、異なる構成についてのみ説明する。
【００７２】
本実施形態は、図５及び図６に示すように、点灯ブロックＢ１と報知ブロックＢ２とからなる点灯制御ユニット１と、例えば放電灯Ｌａの全点灯・調光点灯・消灯を切り換える赤外光のようなワイヤレス信号を点灯制御ユニット１に送信することができるリモコン装置２とを備える。
【００７３】
点灯回路は、商用電源のような交流電源ＡＣの出力を直流出力に変換する直流変換部ＡＤと、直流変換部ＡＤの直流出力を交流出力に変換し放電灯Ｌａに供給するインバータ部Ｉｎと、直流変換部ＡＤ及びインバータ部Ｉｎを制御する制御部３１とからなる。
【００７４】
また、報知ブロックＢ２は、リモコン装置２のワイヤレス信号を受信する受信部６を備える。制御部３１は、受信部６に受信されたワイヤレス信号に応じて放電灯Ｌａに供給する電力を決定する。つまり、制御部３１が点灯制御部である。
【００７５】
ここで、受信部６は受信したワイヤレス信号に応じた出力を生成するセンサ部（図示せず）と、センサ部の出力を音声制御部や制御部３１に入力される信号に変換する信号処理部（図示せず）とを備え、信号処理部を構成する回路は、音声出力部５の音声制御部を構成する回路及び音声データ格納部を構成する回路とともに１チップ化されている。この構成により、信号処理部を構成する回路と、音声制御部を構成する回路と、音声データ格納部を構成する回路とを別々に形成する場合に比べて部品点数が減少し、製造コストの低減が可能となっている。
【００７６】
一方、リモコン装置２は、放電灯Ｌａの動作を設定する動作設定部と、例えば赤外ＬＥＤを有し動作設定部に設定された動作に応じたワイヤレス信号を送信する送信部と、周囲照度検出部としての例えばフォトダイオードのような照度センサと、照度センサをオンオフ制御する検出制御部と、上記各部に電源を供給する例えば乾電池のような電源部と、上記各部を収納した器体とを備える。動作設定部は複数のタクトスイッチを備え、検出制御部は１個のタクトスイッチを備え、これらのタクトスイッチはそれぞれ対応するワイヤレス信号を送信部に出力させるトリガとなる。なお、リモコン装置の上記各構成の図示は省略する。
【００７７】
リモコン装置２の器体には、図７に示すように、それぞれ動作設定部のタクトスイッチを押操作するための複数の操作釦２１と、送信部のワイヤレス信号が出力される送信窓２２と、照度センサの受光面に光を入射させるための受光窓２３と、検出制御部のタクトスイッチを押操作するための検出制御釦２４とが設けられている。
【００７８】
操作釦２１を押操作すると、押操作した操作釦２１に応じたワイヤレス信号が送信部から送信される。このワイヤレス信号が点灯制御ユニット１の受信部６に受信されると、制御部３１は、受信されたワイヤレス信号に応じて放電灯Ｌａを点灯・消灯又は調光点灯させる。
【００７９】
検出制御釦２４を押操作すると、照度センサの出力に応じたワイヤレス信号が送信窓２２を通じて送信される。このワイヤレス信号が点灯制御ユニット１の受信部６に受信されると、音声出力部５は、受信されたワイヤレス信号に応じた音声メッセージ、例えば「リモコン装置周辺の明るさは…ルクスです」といった音声メッセージを出力する。つまり、リモコン装置２の位置の照度が音声メッセージによって報知される。
【００８０】
上記構成によれば、リモコン装置２の位置を選ぶことにより、点灯制御ユニット１にワイヤレス信号が届く範囲内のあらゆる位置での照度を使用者に報知することができる。
【００８１】
なお、図８に示すようにリモコン装置２にも音声出力部２５及び音声データ格納部（図示せず）を設け、照度センサの出力を報知する前記音声メッセージをリモコン装置２の音声出力部２５から出力するようにしてもよい。この構成によれば、より使用者に近いところで照度を報知することができる。
【００８２】
さらに、放電灯Ｌａの残り寿命などの情報を示すワイヤレス信号を送信する送信部（図示せず）を点灯制御ユニット１に設けるとともに、リモコン装置２には点灯制御ユニット１からのワイヤレス信号を受信する受信部（図示せず）を設け、放電灯Ｌａの残り寿命などの情報を示す音声メッセージをリモコン装置２の音声出力部２５から出力可能としてもよい。また、照度センサの出力や放電灯Ｌａの残り寿命などの情報を、点灯制御ユニット１とリモコン装置２とのどちらから出力するかを設定可能としてもよい。これらの構成によれば、放電灯Ｌａの残り寿命などの情報を、より使用者に近いところで報知することができる。
【００８３】
（実施形態４）
本実施形態の基本構成は実施形態３と共通であるので、共通する構成については同じ符号を付して図示及び説明を省略し、異なる構成についてのみ説明する。
【００８４】
本実施形態のリモコン装置２は、検出制御スイッチによってオンオフされ人体の存在を検知する人感センサを照度センサに代えて備える。人感センサとしては、例えば人体から発せられる熱線を検知することで人体の存在を検知する焦電センサを用いることができる。人感センサがオンされているときに人感センサが人体の存在を検知すると、送信窓２２から所定のワイヤレス信号が送信され、このワイヤレス信号が点灯制御ユニット１の受信部６に受信されると、音声出力部５は侵入者を威嚇する威嚇用音声メッセージを出力する。
【００８５】
上記構成によれば、例えば就寝時や外出時に人感センサをオンしてからリモコン装置２を窓際に設置すれば、窓から侵入した侵入者を威嚇用音声メッセージによって威嚇することができる。また、防犯装置と照明器具とを別途に設ける場合に比べ、施工にかかる手間が軽減されるとともに、必要な施工面の面積が小さくなる。さらに、音声メッセージを用いることにより、ブザー等を用いる場合に比べて威嚇効果の向上が期待できる。また、リモコン装置２の設置場所を選ぶことで検知範囲を自由に設定することができる。
【００８６】
なお、リモコン装置２に音声出力部２５を設け、威嚇用音声メッセージをリモコン装置２の音声出力部２５から出力するようにすれば、より侵入者に近いところで威嚇用音声メッセージが出力されることになり、従って威嚇の効果が向上する。
【００８７】
また、図９及び図１０に示すように、音声メッセージの出力完了時ｔ１’，ｔ２’…から所定時間Ｔ１を計時するタイマー部７を設けるとともに、音声メッセージの出力完了時ｔ１’，ｔ２’…から前記所定時間Ｔ１以内に再び人体が検知されたときｔ２，ｔ３には、音声出力部５が前回より威嚇の意味の強い威嚇用音声メッセージを出力するようにしてもよい。図１０において、（ａ）は人感センサの出力を示し、（ｂ）はタイマー部の出力を示し、（ｃ）は音声出力部の出力を示す。例えば、１回目は「センサ検知がありました」という威嚇用音声メッセージを出力し、２回目には「不審者が家内に侵入しました」という威嚇用音声メッセージを出力するようにする。なお、所定時間Ｔ２の間、人体が検知されなかった場合、次に人体が検知されたときｔ４に出力する威嚇用音声メッセージは最初の威嚇用音声メッセージに戻す。この構成を採用すれば、威嚇の効果をより高めることができる。
【００８８】
または、威嚇用音声メッセージの内容を変更せずに、威嚇用音声メッセージの音質を変更してもよい。例えば、１回目の威嚇用音声メッセージを女性の声として２回目の威嚇用音声メッセージを男性の声としたり、２回目の威嚇用音声メッセージを１回目の威嚇用音声メッセージとは異なる周波数で出力する。なお、所定時間Ｔ２の間、人体が検知されなかった場合、次に人体が検知されたときｔ４に出力する威嚇用音声メッセージの音質は最初の音質に戻す。この構成を採用すれば、威嚇の効果をより高めることができる。
【００８９】
また、図１１に示すように、所定時間Ｔ２以内に連続して人体が検知された場合に威嚇用音声メッセージが徐々に高い出力Ｐ１〜Ｐ３つまり大きい音量で出力されるようにしてもよい。なお、所定時間Ｔ２の間、人体が検知されなかった場合、次に人体が検知されたときｔ４の音声出力部５の出力は最初の出力Ｐ１に戻す。この構成を採用すれば、威嚇の効果をより高めることができる。
【００９０】
また、人体が検知されたときにリモコン装置２が所定のワイヤレス信号を送信し、このワイヤレス信号を受信部が受信したときに制御部３１が放電灯３１を点灯または点滅させるようにすることにより、威嚇用音声メッセージの出力に合わせて放電灯３１が点灯または点滅するようにしてもよい。この構成を採用すれば、視覚的効果が加わることにより、威嚇の効果をより高めることができる。
【００９１】
（実施形態５）
本実施形態の基本構成は実施形態１と共通であるので、共通する構成については同じ符号を付して図示及び説明を省略し、異なる構成についてのみ説明する。
【００９２】
本実施形態は、図１２に示すように、煙の濃度に基づいて火災を検出する火災検出部８を備えることを特徴とする。火災検出部８は、煙の濃度に応じた出力を生成する煙濃度検出部８１と、煙濃度検出部８１の出力を所定の閾値と比較する比較部８２とを備える。ここで、煙濃度検出部８１は例えばそれぞれ外から煙が流入する場所に配置された発光ダイオードと前記発光ダイオードの光が受光面に入射するフォトダイオードとの組からなり、煙濃度検出部８１の出力は煙の濃度が高いほど低くなる。比較部８２での比較の結果、煙濃度検出部８１の出力が所定の閾値よりも低ければ、つまり煙濃度検出部８１で検出された煙の濃度が所定の閾値に対応する濃度よりも高ければ、音声出力部５は警報用音声メッセージを出力する。
【００９３】
上記構成によれば、警報用音声メッセージによって火災を報知することができる。また、火災報知器と照明器具とを別途に設ける場合に比べ、施工にかかる手間が軽減されるとともに、必要な施工面の面積が小さくなる。さらに、警報用音声メッセージによって火災を報知するので、ブザーによって火災を報知する場合に比べ、何の報知であるかが使用者に分かりやすい。
【００９４】
なお、図１３及び図１４に示すように警報用音声メッセージの出力が終了した時間ｔ５’，ｔ６’，ｔ７’から所定時間Ｔ２を計時するタイマー部９を設け、タイマー部９による計時が完了した後にも煙濃度検出部８１の出力が所定の閾値Ｄｔｈよりも低いときｔ６，ｔ７には、警報用音声メッセージを前回よりも警報の意味合いが強い警報用音声メッセージに変更するようにしてもよい。図１４において、（ａ）は煙濃度検出部の出力を示し、（ｂ）はタイマー部の出力を示し、（ｃ）は音声出力部の出力を示す。例えば、１回目は「火災報知器が作動しました。現場を確認して下さい。」という警報用音声メッセージが出力され、２回目は「火災が発生しました。至急、避難して下さい。」という警報用音声メッセージが出力されるようにする。なお、タイマー部９による計時が完了した後にも煙濃度検出部８１の出力が所定の閾値Ｄｔｈよりも高ければ、次にタイマー部９による計時が完了した後にも煙濃度検出部８１の出力が所定の閾値Ｄｔｈよりも低くなったときには警報用音声メッセージを１回目のものに戻す。この構成を採用すれば、火災報知の効果をより高めることができる。
【００９５】
または、警報用音声メッセージの内容を変更せずに、警報用音声メッセージの音質を変更してもよい。例えば、１回目の警報用音声メッセージを女性の声として２回目の警報用音声メッセージを男性の声としたり、２回目の警報用音声メッセージを１回目の警報用音声メッセージとは異なる周波数で出力する。なお、タイマー部９による計時が完了した後にも煙濃度検出部８１の出力が所定の閾値Ｄｔｈよりも高ければ、次に出力する警報用音声メッセージの音質は１回目の音質に戻す。この構成を採用すれば、火災報知の効果をより高めることができる。
【００９６】
また、図１５に示すように、タイマー部９による計時が完了した後にも煙濃度検出部８１の出力が所定の閾値Ｄｔｈよりも低いときｔ６，ｔ７には、徐々に高い出力Ｐ４〜Ｐ６つまり大きい音量で警報用音声メッセージが出力されるようにしてもよい。なお、タイマー部９による計時が完了した後に煙濃度検出部８１の出力が所定の閾値Ｄｔｈよりも高ければ、その次に警報用音声メッセージを出力するときの音声出力部５の出力は１回目の出力Ｐ４に戻す。この構成を採用すれば、火災報知の効果をより高めることができる。
【００９７】
また、図１６に示すように、タイマー部９による計時が完了した後にも煙濃度検出部８１の出力が所定の閾値Ｄｔｈよりも低いときｔ６，ｔ７には、タイマー部９による計時時間Ｔ３〜Ｔ５を徐々に短くするようにしてもよい。なお、タイマー部９による計時が完了した後に煙濃度検出部８１の出力が所定の閾値Ｄｔｈよりも高ければ、その次の計時時間は１回目の計時時間Ｔ３に戻すようにする。この構成を採用すれば、火災報知の効果をより高めることができる。
【００９８】
また、警報用音声メッセージの出力に合わせて制御部３１が放電灯３１を点灯または点滅させるようにしてもよい。この構成を採用すれば、視覚的効果が加わることにより、火災報知の効果をより高めることができる。
【図面の簡単な説明】
【００９９】
【図１】本発明の実施形態１を示す概略構成図である。
【図２】同上の点灯回路を示す回路図である。
【図３】同上の状態検出部の構成を示すブロック図である。
【図４】本発明の実施形態２を示す概略構成図である。
【図５】本発明の実施形態３を示す概略構成図である。
【図６】同上を示すブロック図である。
【図７】同上のリモコン装置を示す説明図である。
【図８】同上の別の形態のリモコン装置を示す説明図である。
【図９】本発明の実施形態４の別の形態を示すブロック図である。
【図１０】同上を示す動作説明図であり、（ａ）は人感センサの出力を示し、（ｂ）はタイマー部の出力を示し、（ｃ）は音声出力部の出力を示す。
【図１１】同上の更に別の形態を示す動作説明図であり、（ａ）は人感センサの出力を示し、（ｂ）はタイマー部の出力を示し、（ｃ）は音声出力部の出力を示す。
【図１２】本発明の実施形態５を示すブロック図である。
【図１３】同上の別の形態を示すブロック図である。
【図１４】同上を示す動作説明図であり、（ａ）は煙濃度検出部の出力を示し、（ｂ）はタイマー部の出力を示し、（ｃ）は音声出力部の出力を示す。
【図１５】同上の更に別の形態を示す動作説明図であり、（ａ）は煙濃度検出部の出力を示し、（ｂ）はタイマー部の出力を示し、（ｃ）は音声出力部の出力を示す。
【図１６】同上の更に別の形態を示す動作説明図であり、（ａ）は煙濃度検出部の出力を示し、（ｂ）はタイマー部の出力を示し、（ｃ）は音声出力部の出力を示す。
【図１７】従来例の要部を示す回路図である。
【図１８】同上の原理を示す説明図である。
【符号の説明】
【０１００】
１  点灯制御ユニット
２  リモコン装置
５  音声出力部
６  受信部
７  タイマー部
８  火災報知部
９  タイマー部
１１  器具本体
３１  制御部
８１  煙濃度検出部
８２  比較部
Ｂ１  点灯ブロック
Ｂ２  報知ブロック
Ｂ３  出力設定部
ＡＤ  直流変換部
Ｉｎ  インバータ部
Ｌａ  放電灯
【図１】
2005203275.tif 000003
【図２】
2005203275.tif 000004
【図３】
2005203275.tif 000005
【図４】
2005203275.tif 000006
【図５】
2005203275.tif 000007
【図６】
2005203275.tif 000008
【図７】
2005203275.tif 000009
【図８】
2005203275.tif 000010
【図９】
2005203275.tif 000011
【図１０】
2005203275.tif 000012
【図１１】
2005203275.tif 000013
【図１２】
2005203275.tif 000014
【図１３】
2005203275.tif 000015
【図１４】
2005203275.tif 000016
【図１５】
2005203275.tif 000017
【図１６】
2005203275.tif 000018
【図１７】
2005203275.tif 000019
【図１８】
2005203275.tif 000020